(57)【要約】  上下方向に細長い形状の本体２と、本体の下端から上下方向と交差する方向に突出し第一および第二のガイド孔２３５，２３６が設けられたガイド部（摺動部２３）と、上端近傍で本体に上下方向にスライド自在に支持されていて先鋭な下端が第一のガイド孔に上方からスライド自在に挿入されている中空構造の第一の穿刺針４と、第一の穿刺針の上端近傍に一体に固定されている第一の保持板６１とからなる第一ユニットＡと、第二のガイド孔に挿入される第二の穿刺針３と、第二の穿刺針の上端近傍に一体に固定されている第二の保持板６２とからなる第二ユニットＢとを有し、第二の保持板が第一の保持板に上方から接離自在に当接するとともに、第二のガイド孔の位置がガイド部に沿って選択可能である医療用器具１を提供する。
2009041057.tif 000002
【特許請求の範囲】
【請求項１】
上下方向に細長い形状の本体と、
前記本体の下端から前記上下方向と交差する方向に突出しているとともに、前記上下方向にそれぞれ貫通した第一のガイド孔および第二のガイド孔が設けられたガイド部と、
上端近傍で前記本体に上下方向にスライド自在に支持されていて先鋭な下端が前記第一のガイド孔に上方からスライド自在に挿入されている中空構造の第一の穿刺針と、前記第一の穿刺針の上端近傍に一体に固定されている第一の保持板と、からなる第一ユニットと、
先鋭な下端が前記第二のガイド孔に上方からスライド自在に挿入される中空構造の第二の穿刺針と、前記第二の穿刺針の上端近傍に一体に固定されている第二の保持板と、からなる第二ユニットと、を有し、
前記第一ユニットと前記第二ユニットとが別体に形成されており、
前記第二のガイド孔に挿入された前記第二の穿刺針の前記第二の保持板が前記第一の穿刺針の前記第一の保持板に上方から接離自在に当接する医療用器具であって、
前記第一のガイド孔に対する前記第二のガイド孔の位置が、前記ガイド部に沿って選択可能であることを特徴とする医療用器具。
【請求項２】
前記第二のガイド孔を有するスライダが、前記ガイド部に沿って摺動自在である請求項１に記載の医療用器具。
【請求項３】
前記第二のガイド孔と前記第一のガイド孔の中心部同士の距離が５ｍｍ以上、２５ｍｍ以下である領域を少なくとも含む摺動範囲を、前記スライダが摺動する請求項２に記載の医療用器具。
【請求項４】
前記ガイド部に、前記スライダを摺動自在に支持するスライド溝が設けられている請求項２または３に記載の医療用器具。
【請求項５】
前記ガイド部に、摺動自在な前記スライダを固定する固定手段を有する請求項２から４のいずれかに記載の医療用器具。
【請求項６】
前記第一の保持板と前記第二の保持板とが、接離自在に相互に連結される連結部を有し、
前記第一の保持板と前記第二の保持板とが前記連結部で連結された状態では、前記第二の穿刺針の側から、前記第二のガイド孔と前記第一のガイド孔とを結ぶ方向に前記第一の穿刺針を目視した時に、前記第一の穿刺針および前記第二の穿刺針の少なくとも一部同士が互いに重ならない請求項１から５のいずれかに記載の医療用器具。
【請求項７】
前記ガイド部には、前記第一のガイド孔との距離が互いに異なる少なくとも２つの前記第二のガイド孔が設けられている請求項１に記載の医療用器具。
【請求項８】
前記第一の保持板と前記第二の保持板とが相互に連結された状態において、前記第一または第二の保持板における前記第一の穿刺針と第二の穿刺針との距離は、前記第一のガイド孔における前記第一の穿刺針と、前記第一のガイド孔に最近接位置にある前記第二のガイド孔における前記第二の穿刺針との距離よりも短い請求項１または７に記載の医療用器具。
【請求項９】
前記ガイド部の一方の面には、前記第一のガイド孔に挿通された前記第一の穿刺針と前記第二のガイド孔に挿通された前記第二の穿刺針との間の、前記ガイド部における距離を示す目盛が印字されている請求項１から８のいずれかに記載の医療用器具。
【請求項１０】
前記ガイド部は、前記第一のガイド孔が形成された筒状の第一の収納部と、前記第二のガイド孔が形成された筒状の第二の収納部と、を有し、
前記本体は、前記第一の穿刺針を、前記第一の穿刺針の先端が前記第一の収納部に収納された状態で係止する係止部を有し、
係止された前記第一の穿刺針に対して相互に連結された前記第二の穿刺針の先端が前記第二の収納部に収納される請求項１から９のいずれかに記載の医療用器具。
【請求項１１】
前記第一の保持板は、前記第一ユニットと前記本体とが互いにスライド自在に移動するための摺動孔が形成されており、
前記係止部は、前記摺動孔でスライドする前記第一の保持板が係止する凹部として前記本体に形成されている請求項１０に記載の医療用器具。
【請求項１２】
前記第一の穿刺針の内部にスライド自在に配置される棒状部と、
前記棒状部の上端に一体に形成されていて前記第一の穿刺針の上端より上方に位置するハンドル部と、
前記棒状部の下端に一体に形成されていて前記第一の穿刺針の下端から出没する環状部と、
を有する縫合糸牽引具を、
さらに有する請求項１から１１のいずれかに記載の医療用器具。
【請求項１３】
前記棒状部の長手軸からの距離が前記環状部に印字されている請求項１２に記載の医療用器具。
【発明の詳細な説明】
【技術分野】
【０００１】
本発明は、生体の内部組織を体表部において縫合固定することに用いられる医療用器具に関する。
【背景技術】
【０００２】
口から栄養を摂取できない患者に対して、経静脈的栄養投与、鼻からチューブを胃等に挿入して行う経胃管的栄養投与および胃瘻から経腸的栄養投与する３通りの栄養投与法が行われている。【０００３】
近年、経腸栄養剤とその投与法の発達により、経皮的内視鏡下胃瘻造設術ＰＥＧ（Ｐｅｒｃｕｔａｎｅｏｕｓ  Ｅｎｄｏｓｃｏｐｉｃ  Ｇａｓｔｒｏｓｔｏｍｙ）による経腸栄養管理が頻繁に行われるようになってきた。【０００４】
胃瘻造設の際には前処置として、患者の腹壁と胃壁とを貫通する貫通孔を形成する必要がある。その貫通孔の形成に先立ち、動き易い胃壁を一時的に固定するため、体外から胃内に２本の穿刺針を穿刺し、一方の穿刺針内を通して縫合糸を挿入後、もう一方の穿刺針を通して縫合糸を体外に引き出すことにより、腹壁と胃壁とを縫合することが一般的に行われている。【０００５】
このような縫合を行うための医療用器具としては、例えば縫合糸挿入用穿刺針と、それと平行に配置される縫合糸把持用穿刺針と、その縫合糸把持用穿刺針内に摺動可能に挿入されるスタイレットと、縫合糸挿入用穿刺針と縫合糸把持用穿刺針とをそれぞれの基端部において固定する固定部材とからなり、スタイレットにより前記縫合糸を把持するものが開示されている。（例えば、特許文献１参照）【０００６】
【特許文献１】特開平０４−２２６６４３号公報
【発明の開示】
【０００７】
しかし、特許文献１に記載の医療用器具においては、２本の穿刺針を同時に穿刺しなければならないため、２本の穿刺針の穿刺位置を予め決定しておく必要があった。
また、特許文献１に記載の医療用器具においては、２本の穿刺針はそれぞれの基端部において固定する固定部材を介して固定されているため、２本の穿刺針の間隔は変えることができず、穿刺位置の選定に制限があった。
【０００８】
本発明は、上記事情に鑑みてなされたものであり、本発明の課題は、２本の穿刺針の穿刺位置を任意に選定でき、最適な位置で体表部と内部組織との縫合作業が行える医療器具を提供することである。
【０００９】
このような目的は、下記（１）〜（１３）に記載の本発明により達成される。
（１）上下方向に細長い形状の本体と、
前記本体の下端から前記上下方向と交差する方向に突出しているとともに、前記上下方向にそれぞれ貫通した第一のガイド孔および第二のガイド孔が設けられたガイド部と、
上端近傍で前記本体に上下方向にスライド自在に支持されていて先鋭な下端が前記第一のガイド孔に上方からスライド自在に挿入されている中空構造の第一の穿刺針と、前記第一の穿刺針の上端近傍に一体に固定されている第一の保持板と、からなる第一ユニットと、
先鋭な下端が前記第二のガイド孔に上方からスライド自在に挿入される中空構造の第二の穿刺針と、前記第二の穿刺針の上端近傍に一体に固定されている第二の保持板と、からなる第二ユニットと、を有し、
前記第一ユニットと前記第二ユニットとが別体に形成されており、
前記第二のガイド孔に挿入された前記第二の穿刺針の前記第二の保持板が前記第一の穿刺針の前記第一の保持板に上方から接離自在に当接する医療用器具であって、
前記第一のガイド孔に対する前記第二のガイド孔の位置が、前記ガイド部に沿って選択可能であることを特徴とする医療用器具。
（２）前記第二のガイド孔を有するスライダが、前記ガイド部に沿って摺動自在である（１）に記載の医療用器具。
（３）前記第二のガイド孔と前記第一のガイド孔の中心部同士の距離が５ｍｍ以上、２５ｍｍ以下である領域を少なくとも含む摺動範囲を、前記スライダが摺動する（２）に記載の医療用器具。
（４）前記ガイド部に、前記スライダを摺動自在に支持するスライド溝が設けられている（２）または（３）に記載の医療用器具。
（５）前記ガイド部に、摺動自在な前記スライダを固定する固定手段を有する（２）から（４）のいずれかに記載の医療用器具。
（６）前記第一の保持板と前記第二の保持板とが、接離自在に相互に連結される連結部を有し、
前記第一の保持板と前記第二の保持板とが前記連結部で連結された状態では、前記第二の穿刺針の側から、前記第二のガイド孔と前記第一のガイド孔とを結ぶ方向に前記第一の穿刺針を目視した時に、前記第一の穿刺針および前記第二の穿刺針の少なくとも一部同士が互いに重ならない（１）から（５）のいずれかに記載の医療用器具。
（７）前記ガイド部には、前記第一のガイド孔との距離が互いに異なる少なくとも２つの前記第二のガイド孔が設けられている（１）に記載の医療用器具。
（８）前記第一の保持板と前記第二の保持板とが相互に連結された状態において、前記第一または第二の保持板における前記第一の穿刺針と第二の穿刺針との距離は、前記第一のガイド孔における前記第一の穿刺針と、前記第一のガイド孔に最近接位置にある前記第二のガイド孔における前記第二の穿刺針との距離よりも短い（１）または（７）に記載の医療用器具。
（９）前記ガイド部の一方の面には、前記第一のガイド孔に挿通された前記第一の穿刺針と前記第二のガイド孔に挿通された前記第二の穿刺針との間の、前記ガイド部における距離を示す目盛が印字されている（１）〜（８）のいずれかに記載の医療用器具。
（１０）前記ガイド部は、前記第一のガイド孔が形成された筒状の第一の収納部と、前記第二のガイド孔が形成された筒状の第二の収納部と、を有し、
前記本体は、前記第一の穿刺針を、前記第一の穿刺針の先端が前記第一の収納部に収納された状態で係止する係止部を有し、
係止された前記第一の穿刺針に対して相互に連結された前記第二の穿刺針の先端が前記第二の収納部に収納される（１）〜（９）のいずれかに記載の医療用器具。
（１１）前記第一の保持板は、前記第一ユニットと前記本体とが互いにスライド自在に移動するための摺動孔が形成されており、
前記係止部は、前記摺動孔でスライドする前記第一の保持板が係止する凹部として前記本体に形成されている（１０）に記載の医療用器具。
（１２）前記第一の穿刺針の内部にスライド自在に配置された棒状部と、
前記棒状部の上端に一体に形成されていて前記第一の穿刺針の上端より上方に位置するハンドル部と、
前記棒状部の下端に一体に形成されていて前記第一の穿刺針の下端から出没する環状部と、
を有する縫合糸牽引具を、
さらに有する（１）〜（１１）のいずれかに記載の医療用器具。
（１３）前記棒状部の長手軸からの距離が前記環状部に印字されている（１２）に記載の医療用器具。
【００１０】
なお、本発明では上下方向を規定しているが、これは本発明の構成要素の相対関係を簡単に説明するために便宜的に規定したものであり、本発明を実施する場合の製造時や使用時の方向を限定するものではない。
【００１１】
また、本発明において、穿刺針が挿入されるガイド孔の位置が選択可能であるとは、当該ガイド孔の位置が連続的に移動可能である場合と、複数個のガイド孔のうち任意の一つを選択して穿刺針を挿入することができる場合とを含む意味である。
【００１２】
また、本発明の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。例えば、ガイド部が複数の部材で形成されていてもよい。また、第一または第二の収納部とスライダとが一個の部材として形成されていてもよい。
【００１３】
本発明によれば、２本の穿刺針の穿刺位置を任意に選定でき、最適な位置で体表部と内部組織との縫合作業が行える医療器具を提供することができる。
【図面の簡単な説明】
【００１４】
【図１】（ａ）は本発明の医療用器具の一例を示す斜視図、（ｂ）は上面図である。
【図２】医療用器具の正面図である。
【図３】（ａ）医療用器具の穿刺針の先端を本体内に収納した時の正面図、（ｂ）は右側面図である。
【図４】（ａ）は本体と第一の穿刺針と第一の保持板と縫合糸牽引具を組み合わせた時の上面図、（ｂ）は正面図、（ｃ）は右側面図である。
【図５】（ａ）は第二の穿刺針と第二の保持板を嵌合させた上面図、（ｂ）は正面図、（ｃ）は右側面図である。
【図６】（ａ）は本体と第一の穿刺針と第一の保持板を組み合わせた時の上面図、（ｂ）は正面図、（ｃ）は右側面図である。
【図７】第一の穿刺針の正面図および右側面図である。
【図８】（ａ）は縫合糸牽引具の上面図、（ｂ）は正面図、（ｃ）は右側面図である。
【図９】第一の穿刺針を腹壁から胃壁まで穿刺した状態を示す正面図である。
【図１０】第一の穿刺針の先端から縫合糸牽引具の環状部を突出させた状態を示す正面図である。
【図１１】第二の穿刺針を穿刺した状態を示す正面図である。
【図１２】第二の穿刺針から縫合糸を挿入した状態を示す正面図である。
【図１３】縫合糸牽引具で縫合糸を把持した状態を示す正面図である。
【図１４】本体を患者から引き抜いた状態を示す正面図である。
【図１５】縫合糸の両端が内臓内部から体表に露出した状態を示す正面図である。
【図１６】引き抜いた医療用器具の第二の保持板を第一のウィング側にスライドし、嵌合させた状態を示す右側面図である。
【図１７】（ａ）は医療用器具の穿刺針の先端を本体内に収納した時の状態を示す正面図、（ｂ）は右側面図である。
【図１８】（ａ）は別の実施例の医療用器具を示す斜視図、（ｂ）は上面図である。
【図１９】別の実施例の医療用器具を正面図である。
【図２０】別の実施例の医療用器具の本体と第一の穿刺針と第一の保持板を組み合わせた時の（ａ）上面図、（ｂ）は正面図である。
【発明を実施するための最良の形態】
【００１５】
以下、体表部と内部組織とを縫合糸により縫合する際に用いる医療用器具の例をあげ、本発明の好ましい実施形態について図面を用いて説明する。【００１６】
なお、すべての図面において、共通する構成要素には同一符号を付し、以下の説明において詳細な説明を適宜省略する。また、図中で上側を基端側、下側を先端側とした。図１（ａ）は、本発明による医療用器具の一実施形態を示す斜視図であり、図１（ｂ）は、上面図である。【００１７】
本実施形態の医療用器具１は、図１ないし図１８に示すように、第一ユニットＡと第二ユニットＢとを有し、第一ユニットＡと第二ユニットＢとが相互に係脱自在な別体に形成されている。【００１８】
第一ユニットＡは、図４に示すように、上下方向に細長い形状の本体２と、本体２の下端から上下方向と交差する方向に突出しているガイド部である収納部２３とを有している。収納部２３には、第一のガイド孔２３５と、収納部２３（ガイド部）に沿ってその位置を選択可能な第二のガイド孔２３６が、それぞれ上下方向に貫通して設けられている。
また、第一ユニットＡは、中空構造の第一の穿刺針４と、第一の穿刺針４の上端近傍に一体に固定されている第一の保持板６１と、を有する。第一の穿刺針４は、上端近傍で本体２に上下方向にスライド自在に支持されていて、かつ、先鋭な下端が第一のガイド孔２３５に上方からスライド自在に挿入される。【００１９】
ここで、本実施形態では、本体２が延在する上下方向に対して直交する方向に収納部２３は突出している。
収納部２３は板状をなし、その板状面に対する垂直方向は、本体２が延在する上下方向と一致している。すなわち、収納部２３は、本体２を垂直方向とした場合の水平方向に突出して設けられている。
以下、断りなき場合、重力方向とは無関係に、収納部２３の面内方向のうち、第一のガイド孔２３５と第二のガイド孔２３６とを結ぶ方向を水平方向という。【００２０】
また、第二のガイド孔２３６の位置は収納部２３（ガイド部）に沿う方向に選択されるが、かかる方向は、収納部２３の突出方向と同一でもよく、または相違する方向でもよい。【００２１】
ここで、第二のガイド孔２３６の位置は連続的に調整可能であっても、複数個の第二のガイド孔２３６よりいずれかを選択して第二の穿刺針３を挿通してもよい。図４に示す本実施形態の場合、第二のガイド孔２３６を有するスライダである第二の収納部２３２が、収納部２３に沿って摺動自在である。【００２２】
第二ユニットＢは、図２及び図５に示すように、先鋭な下端が第二のガイド孔２３６に上方からスライド自在に挿入される中空構造の第二の穿刺針３と、第二の穿刺針３の上端近傍に一体に固定されている第二の保持板６２と、を有する。【００２３】
そして、本実施の形態の医療用器具１では、詳細には後述するが、図１１に示すように、第二のガイド孔２３６に挿入された第二の穿刺針３に付随する第二の保持板６２が第一の穿刺針４に付随する第一の保持板６１に上方から接離自在に当接する。【００２４】
また、図１６および図１７に示すように、第一の保持板６１と第二の保持板６２とは、相互に連結される連結部として凸部６１１および凹部６２１を各々に有する。そして、第一の保持板６１と第二の保持板６２とが凸部６１１および凹部６２１で連結された状態では、第二の穿刺針３は、収納部２３に対して垂直ではなく傾くことになる。したがって、第一の穿刺針４と第二の穿刺針３は、第二の穿刺針３の側から、第二のガイド孔２３６と第一のガイド孔２３５とを結ぶ水平方向に第一の穿刺針４を目視した時に少なくとも一部同士が重ならない状態となる。本実施形態の場合、第一の穿刺針４と第二の穿刺針３とは、これらの上端側同士が、水平方向に対して交差方向にずれあっている。
凸部６１１および凹部６２１は、連結部を構成する係合手段として機能する。本実施の形態では、第一の保持板６１と第二の保持板６２のいずれか一方に設けられた凹部と、他方に設けられた凸部とで連結部を構成することを例示しているが、その他の係合手段であってもよい。【００２５】
なお、図１６及び図１７には、第一の保持板６１と第二の保持板６２とは、凸部６１１および凹部６２１により上下方向と直交する方向に連結される例が示されている。【００２６】
また、収納部（ガイド部）２３は、第一のガイド孔２３５が形成されている円筒状の第一の収納部２３１と、第二のガイド孔２３６が形成されている円筒状の第二の収納部２３２と、から構成されている。第二のガイド孔２３６を有する第二の収納部２３２は、収納部２３の水平方向に選択可能に設けられている。【００２７】
本実施形態の第二のガイド孔２３６が形成された筒状の第二の収納部２３２は、収納部（ガイド部）２３に沿って水平方向に摺動するスライダとして機能する。
第二の収納部２３２は、収納部２３に対して連続的にスライドしてその位置が選択可能であってもよい。または、収納部２３に複数箇所のラッチ部を離散的に設け、第二の収納部２３２を収納部２３に対して、有限かつ複数の箇所より任意に選択してその位置を調整可能としてもよい。【００２８】
図１に示すように、第二の収納部（スライダ）２３２は、収納部２３に設けられたスライド溝２４１上を所定範囲内で任意の位置まで移動可能である。また、第二の収納部２３２を任意の位置まで移動させた後に、図示していないストッパー（固定手段）によって第二の収納部２３２を収納部２３上に固定することができる。これにより、第二の穿刺針３を穿刺する位置がスライド溝２４１の距離の範囲で選択可能となる。ストッパーの機構は、ねじ式、嵌合式等、簡易に固定できる方法であれば特に限定しない。【００２９】
そして、本体２は、第一の穿刺針４の先端が第一の収納部２３１に収納された状態で係止する係止部２１２を有する。凸部６１１および凹部６２１によって第一の保持板６１と第二の保持板６２とが連結されたときに、第一の穿刺針４を係止部２１２で係止することにより、第二の穿刺針３の先端が第二の収納部２３２に収納される。
支持部材２１には、係止部２１２の先端側に案内面２１３が設けられている。
案内面２１３は、摺動部２１１の基端側で、かつ係止部２１２より先端側に設けられている。案内面２１３は、摺動部２１１の摺動面が係止部２１２に向かって拡径し、そのあと縮径する形状をなしている。【００３０】
第一の保持板６１には、第一ユニットＡと本体２とが互いにスライド自在に移動するための摺動孔２２４が形成されている。係止部２１２は、摺動孔２２４でスライドする第一の保持板６１が係脱自在に係合する凹部として本体２に形成されている。
摺動部２１１は、支持部材２１に対して第一の保持板６１を進退自在に摺動させる部分である。第一の保持板６１を進退移動させることにより、第一の穿刺針４の穿刺深さが調整される。【００３１】
また、本実施形態の医療用器具１は、図８に示すように、縫合糸牽引具５を、更に有する。この縫合糸牽引具５は、第一の穿刺針４の内部にスライド自在に配置される棒状部５２と、棒状部５２の上端に一体に形成されていて第一の穿刺針４の上端より上方に位置するハンドル部５１と、棒状部５２の下端に一体に形成されていて第一の穿刺針４の下端から出没するスネアである環状部５３と、を有する。【００３２】
縫合糸牽引具５は、第一の穿刺針４に挿入され、第二の穿刺針３から挿入された縫合糸を内部組織内で把持して、体表部まで牽引する機能を有する。これにより、容易に体表部と内部組織とを縫合することができる。【００３３】
上記環状部５３は、高弾性の線材で形成されており、線状に圧縮された状態で第一の穿刺針４の内部をスライド移動することができ、第一の穿刺針４の下端から突出すると環状に拡開する。【００３４】
図１および図２に示すように、第一の穿刺針４より突出した状態で環状部５３は、第二の穿刺針３の中心軸またはその延長線が、環状部５３の内部を貫通するように形成されている。これにより、縫合糸を確実に把持することができる。
環状部５３の直径は、特に限定されないが、第二の穿刺針３と第一の穿刺針４の間隔をＬｍｍとした場合、環状部５３の直径が１．５Ｌｍｍ以上、３．０Ｌｍｍ以下となるように形成されることが好ましい。直径が上記範囲内であると、縫合糸の把持性能に特に優れる。【００３５】
また、図８（ｂ）に示すように、縫合糸牽引具５には挿入用保護チューブ５４が付設されていることが好ましい。これにより、環状部５３が誤って抜けてしまった場合に、再度第一の穿刺針４の中に挿入するとき、環状部５３を直線化させて入れ易くなる。この挿入用保護チューブ５４は、第一の穿刺針４（図７を参照）の上端に付設されたハブ４１の内部に入る寸法であり、かつ、第二の針部４２内に入り込まない寸法であることが望ましい。棒状部５２の長さは、環状部５３を直線化した長さ以上であることが望ましい。【００３６】
更に本実施形態の医療用器具１は、本体２と、本体２に対して摺動可能に設けられた第一の保持板６１と、第一の保持板６１に保持される第一の穿刺針４とを備える。第一の保持板６１上には、第二の保持板６２が載置することができる。【００３７】
また、第二の保持板６２は、第一の保持板６１に対して取り外し可能に設けられている。また、第二の保持板６２は、第一の保持板６１上の所定領域を自在に移動できるように設けられている。【００３８】
第二の保持板６２は、略楕円型である第一の保持板６１の外縁に合わすように載置することにより、第一の穿刺針４の針先開口部と第二の穿刺針３の針先開口部とが対向する形を維持することができる（図１（ｂ））。【００３９】
また、第一および第二の保持板６１、６２には、凸部６１１、凹部６２１がそれぞれ設けられている（図４（ｂ）、図５（ｂ））。
凸部６１１、凹部６２１は、第二の保持板６２を第一の保持板６１の第一のウィング６１２に移動させることにより両保持板を係合する係合手段である。そして、第一の保持板６１と第二の保持板６２が互いに連結された状態では、収納部２３の第二の穿刺針３側の水平方向から目視した時に第一の穿刺針４と第二の穿刺針３とが完全には重ならない状態となる。【００４０】
また、第一の穿刺針４及び第二の穿刺針３の針先を各々収納する第一および第二の収納部２３１、２３２が収納部２３に設けられている（図１（ａ））。【００４１】
係止部２１２は、本体２の基端側に設けられている。第二の保持板６２と係合した第一の保持板６１を本体２の基端側に摺動させて係止部２１２に係止すると、第一の穿刺針４及び第二の穿刺針３は、第一および第二の収納部２３１、２３２に各々収納される（図３（ａ）、（ｂ））。【００４２】
これにより、本医療用器具を使用後廃棄の際、鋭利な針の先端が各収納部に収納された状態を維持することができる。よって、医療従事者への誤穿刺という二次的な事故を防止できる。また、２本の穿刺針の先端を各収納部に収納するとき、第二の保持板６２を第一の保持板６１上の第一のウィング６１２に近づけるように移動させる。これにより、第二の穿刺針３は、支持部材２１及び第一の穿刺針４に対して、水平方向から目視した時に少なくとも一部が重ならない状態になる。よって、医療用器具１が使用済みであることが目視的に確認できる。【００４３】
また、本実施形態の医療用器具１においては、第一の保持板６１と第二の保持板６２が連結された状態では、第一または第二の保持板６１、６２における第一の穿刺針４と第二の穿刺針３との距離は、第一のガイド孔２３５における第一の穿刺針４と、第一のガイド孔２３５に最近接位置にある第二のガイド孔２３６における第二の穿刺針３との距離よりも短い。
これにより、第一の穿刺針４と第二の穿刺針３とは、第一および第二の保持板６１、６２が互いに連結されることで、下端に向かって広がって組み合わされる。よって、かかる医療用器具１を仮に使用しようとしても、第二の穿刺針３は収納部２３の第二の穿刺針３側の水平方向から目視した時に、第二の収納部２３２に対して斜めになる。すなわち、第二の穿刺針３の伸びる方向と、第二のガイド孔２３６の貫通方向とが交差するため、第二のガイド孔２３６を挿通して第二の穿刺針３を穿刺することはできない。【００４４】
さらに収納部２３は、両穿刺針の先端を収納すると同時に、手技にあたっては、体表部と当接して医療用器具１を使用する際の安定性を向上する機能を有している。
また、第二の収納部２３２は、針先を収納する機能のほかに、第二の穿刺針３の穿刺時の安定性を向上させる機能を有している。即ち第二の収納部２３２は円筒型であるため、円筒形状の内部に沿って第二の穿刺針３を穿刺することにより、ぐらつきのない安定した穿刺が可能となる。【００４５】
次に、本実施形態の医療用器具の一使用方法である胃腹壁の固定方法について図９から図１７を用いて説明する。【００４６】
本実施形態の医療用器具１を使用する前に、生体である患者の胃内に内視鏡を挿入し、送気を十分行い、腹壁１００と胃壁１０１とを密着させる。次に、内視鏡からの透過光により胃の位置を確認し、体表部側から腹部触診を行い、胃壁固定部位を決定し、体表である腹部皮膚を消毒、局所麻酔を行う。
続いて、図９に示すように、本体２の当接部２３３を腹壁１００に当接し、第一の穿刺針４を、本体２に対して下方にスライド移動させて体表から胃内部まで穿刺する。【００４７】
縫合糸牽引具５の環状部５３は第一の穿刺針４内に収納した状態に維持し、第一の穿刺針４を穿刺する。こうすることで、穿刺後、直ぐに第一の穿刺針４の先端から環状部５３を出没させることが可能となる。【００４８】
次に、図１０に示すように、縫合糸牽引具５のハンドル部５１を操作し、第一の穿刺針４の内部に収納させた環状部５３を下方にスライド移動させ、環状部５３を胃内に突出させる。穿刺された第一の穿刺針４を中心軸として本体２とともに収納部２３を必要により所望の位置まで回転させるとともに、第二の収納部２３２を移動させて第一の収納部２３１との距離を調節し、第二の穿刺針３の穿刺位置を決定する。第二の穿刺針３の穿刺位置は、第一の穿刺針４を中心として、３６０度の範囲かつ、収納部２３にあるスライド溝２４１に沿って第二の収納部（スライダ）２３２が水平方向に摺動可能な範囲内より適宜選択できる。【００４９】
第二の収納部（スライダ）２３２が収納部（ガイド部）２３を水平方向に摺動する範囲は、特に限定されない。具体的には、第二のガイド孔２３６と第一のガイド孔２３５の中心部同士の距離が５ｍｍ以上、２５ｍｍ以下である領域を少なくとも含むことが望ましい。こうすることで、所望の位置に摺動移動させた第二の収納部２３２に第二の穿刺針３を穿刺することが可能であり、腹壁と胃壁を縫合する最適な距離を患者の状態に合わせて選択することが可能となる。【００５０】
また、体表上で術者が第一の穿刺針４から第二の穿刺針３までの距離を確認できるように、収納部２３の一方の面、例えば上面に、目盛２３８（図１（ａ）を参照）が印字されていることが好ましい。目盛２３８は、第一のガイド孔２３５に挿通された第一の穿刺針４と、第二のガイド孔２３６に挿通された第二の穿刺針３との間の、収納部（ガイド部）における距離を示している。
この目盛２３８が印字されていることで、術者が胃壁と腹壁の固定される間隔を確認することができる。【００５１】
また、縫合糸牽引具５の棒状部５２の長手軸からの距離を示す標識５５が環状部５３に印字されているとさらに好ましい。すなわち、環状部５３には、棒状部５２が挿通される第一のガイド孔２３５からの水平方向の距離を示す標識５５がローマ数字などにより印字されている。これにより、内視鏡により胃の内側から第二の穿刺針３を穿刺する位置を選定する場合に、最適な位置に第二の穿刺針３を穿刺することが可能となる。内視鏡で観察された標識５５が示す距離に合わせて、体外部で第二のガイド孔２３６を移動させることができるためである。【００５２】
そして、図１１に示すように、所望の位置に摺動移動された収納部２３の第二のガイド孔２３６に第二の穿刺針３を挿入し、患者の腹壁１００および胃壁１０１にほぼ垂直になるように穿刺する。そして、第二の穿刺針３を保持した第二の保持板６２を第一の保持板６１上に載置する。第二の保持板６２を第二の保持板６２の略楕円形状の外縁に合わせるように載置することで、第二の穿刺針３と第一の穿刺針４の針先開口部同士を、互いに対向する向きに維持することができる。【００５３】
第二の保持板６２を第一の保持板６１上に載置した際に、第二の穿刺針３の先端開口部の方向が常に同一方向に載置されることが一目で判断できることが好ましい。例えば、縫合糸牽引具５に付設したハンドル部５１の上面及び内針８０に設けられた内針ハンドル部８１の上面にそれぞれ第一の穿刺針４と第二の穿刺針３の針先開口部を示す矢印ラベルなどを貼るとよい。矢印ラベルの向きを合わせるように第二の保持板６２を第一の保持板６１上に載置すれば、第一の穿刺針４および第二の穿刺針３の針先開口部が対向する姿勢が維持される。
目視的に第一の穿刺針４および第二の穿刺針３の針先開口部の向きが判別できるものであれば、その他の手段を医療用器具１に採用してもかまわない。【００５４】
つぎに、図１２に示すように、第二の穿刺針３より内針８０を抜取り、縫合糸１０２を第二の穿刺針３の上端から挿入して針先から突出させる。そして、図１３に示すように、縫合糸牽引具５を上方にスライド移動させて環状部５３で縫合糸１０２を把持させる。【００５５】
このような状態で、図１４に示すように、医療用器具１の全体を上方に引き上げて第一の穿刺針４および第二の穿刺針３を体外に同時に抜去する。すると、図１５に示すように、縫合糸１０２の両端が胃の内部から体表まで突出した状態となるので、この縫合糸１０２を体表で縫合することにより胃壁を腹壁に固定することができる。【００５６】
腹壁１００と胃壁１０１の縫合固定終了後、第二の保持板６２を第一の保持板６１の第一のウィング６１２側へ押し込むことにより、第一の保持板６１に付設された凸部６１１に対して第二の保持板６２に付設された凹部６２１が嵌合する。これにより、第一及び第二の保持板６１、６２が互いに嵌合された状態となる。【００５７】
このとき、第二の穿刺針３は、第一の穿刺針４及び、支持部材２１に対して、平行ではなく、斜めになる（図１６）。そのため、医療用器具１が使用済みであることが目視的に確認でき。また、かかる状態で医療用器具１を使用しようとしても、第二の穿刺針３は第二のガイド孔２３６の貫通方向に対して斜めになるために、これを穿刺することはできない。【００５８】
そして、本体２の支持部材２１の操作部２１４を先端側（図１６）に押し込み、第一の穿刺針４と第二の穿刺針３の鋭利な先端を収納部２３の第一の収納部２３１と、第二の収納部２３２内に収納した状態に切り替え、医療用器具１を廃棄する。【００５９】
上記の操作により針先を収納した状態が維持されるため、廃棄後の医療従事者への誤穿刺という二次的な事故を防止できる（図１７（ａ）、（ｂ））。例えば、前述した特許文献１の医療用器具では、使用後、針先が突出した状態で廃棄することとなり、医療従事者への誤穿刺という二次的な事故が発生する可能性があった。【００６０】
以上のように、本実施形態の医療用器具を使用することにより、腹壁１００と胃壁１０１とを縫合終了後、医療用器具の廃棄時において、２本の穿刺針の鋭利な先端を本体で完全に覆うことができる。このため、医療用器具１を安全に廃棄することができ、且つ、目視的に使用済みであることが確認できる。よって、医療従事者への誤穿刺という二次的な事故を防止することができる。【００６１】
また、第一および第二の保持板６１、６２が連結された状態では、第一の穿刺針４および第二の穿刺針３を円滑にスライド移動させることが困難である。従って、第一および第二の保持板６１、６２が連結されたまま、第一の穿刺針４および第二の穿刺針３が同時に生体に穿刺される誤操作を確実に防止することができる。仮に、第一および第二の保持板６１、６２が連結された状態で第一の穿刺針４および第二の穿刺針３が生体に穿刺されると、第二の穿刺針３が斜めに拡開される状態で生体に穿刺されることになる。このように斜めに拡開した状態で穿刺された第一の穿刺針４および第二の穿刺針３を、そのまま生体から抜去することは困難である。もしも第一の穿刺針４および第二の穿刺針３を生体から無理に抜去すると、生体を損傷する可能性が高く、患者に非常な苦痛を与える可能性がある。【００６２】
上述の誤操作により第一の穿刺針４および第二の穿刺針３の先端が生体の内部で拡開する不具合は、例えば、患者の皮下脂肪が厚いなど、体表から内臓まで距離があるほど顕著となる。
しかも、上述のように第二の穿刺針３が斜めになると、第二の穿刺針３の先端から突出した縫合糸１０２を縫合糸牽引具５の環状部５３で把持することも困難となる場合がある。
さらに、前述のように第一の穿刺針４および第二の穿刺針３が穿刺される胃等の内臓は、その外面が球状に湾曲している。このため、第二の穿刺針３が斜めに拡開するように同時に穿刺されると、内臓に円滑に穿刺されず、内臓の外面を損傷する可能性がある。【００６３】
以上のように、本実施形態の医療用器具を実施の形態に基づいて説明したが、本発明はこれに限定されるものではない。例えば、本体の支持部、当接部等の形状、第二の穿刺針（糸挿入用穿刺針）及び第一の穿刺針（糸把持用穿刺針）のハブの形状等については、上述した実施形態と異なるものであっても良い。【００６４】
例えば、別の実施形態として、図１８から図２０を用いて説明する。先の実施形態とは、第一のガイド孔２３５との距離が互いに異なる少なくとも２つの第二のガイド孔２３６が収納部（ガイド部）２３に設けられている点で相違する。同図は、収納部２３に第二の収納部２３２が水平方向に３つ設けられたものを例示している。【００６５】
第二の収納部２３２を水平方向に３つ設けることで、第一の穿刺針４を穿刺後に、必要により本体２とともに収納部２３を回転させ、第二の収納部２３２の３つのうちから所望する第二のガイド部を選ぶことができる。こうすることで第二の穿刺針３を最適な位置に穿刺することが可能となる。
この第二の収納部２３２は、２つ以上設けられていればよく、多く設けるほど第二の穿刺針３を穿刺する位置の選択する範囲を広げることができる。【００６６】
また、第一の保持板６１に凸部６１１を設け、第二の保持板６２に凹部６２１を設けることで、先の実施形態と同様に第一および第二の保持板６１、６２を係合することができる。そして、本実施形態の医療用器具１においても、第一の穿刺針４の先端が第一の収納部２３１に収納された状態で第一の穿刺針４と係止する係止部２１２を本体２に設けている。そして、第一の穿刺針４が係止部２１２に係止されると、第一および第二の保持板６１、６２を介して第一の穿刺針４に連結された第二の穿刺針３の先端は、第二の収納部２３２に収納される。【００６７】
このため、使用済の医療用器具の第一の穿刺針および第二の穿刺針３の先鋭な針先端が露出することを防止できる。従って、簡単な構造で医療用器具を安全に廃棄することができる。【００６８】
このように、第二の収納部２３２が複数個存在する本実施形態の医療用器具１では、先の実施形態よりも、第二の穿刺針３を穿刺する位置の選択範囲は狭まる。しかし、収納部２３は、構造的にはより簡易なものとなり、第二の穿刺針３を穿刺する作業性がよくなると共に、医療用器具１を安価に製造できる。【００６９】
また、本実施形態の第一の保持板６１と第二の保持板６２との連結方法は、第一の保持板６１と第二の保持板６２とが連結部で連結された状態では、ガイド部の第二の穿刺針３の側から水平方向に目視した時に第一の穿刺針４と第二の穿刺針３とが重ならない方法である。
また、本実施形態の第一の保持板６１と第二の保持板６２との連結方法は、第一の保持板６１と第二の保持板６２とが連結部で連結された状態で、保持板が設けられた上端側における第一の穿刺針４と第二の穿刺針３との距離が、第一のガイド孔２３５における第一の穿刺針４と、第一のガイド孔２３５に摺動可能限界の近接位置にある第二のガイド孔２３６における第二の穿刺針３との距離よりも短くなる方法である。【００７０】
本発明の医療用器具は、生体への使用個所も上記のような腹壁と胃壁とに限定されず、各内臓壁、血管、神経等の腹壁への吊上げ等にも用いることができる。さらに、上記形態では人体の内臓を固定することを例示したが、人体以外の生体に適用することもできる。
【図１】
2009041057.tif 000003
【図２】
2009041057.tif 000004
【図３】
2009041057.tif 000005
【図４】
2009041057.tif 000006
【図５】
2009041057.tif 000007
【図６】
2009041057.tif 000008
【図７】
2009041057.tif 000009
【図８】
2009041057.tif 000010
【図９】
2009041057.tif 000011
【図１０】
2009041057.tif 000012
【図１１】
2009041057.tif 000013
【図１２】
2009041057.tif 000014
【図１３】
2009041057.tif 000015
【図１４】
2009041057.tif 000016
【図１５】
2009041057.tif 000017
【図１６】
2009041057.tif 000018
【図１７】
2009041057.tif 000019
【図１８】
2009041057.tif 000020
【図１９】
2009041057.tif 000021
【図２０】
2009041057.tif 000022
【国際調査報告】
2009041057.tif 000023
2009041057.tif 000024